(57)【特許請求の範囲】
【請求項１】
床面に設置される下パンと、該下パンの上に設けられた防振材と、該防振材の上に設けられた上パンとを備えてなり、
該上パンと下パンとが別体であり且つ離隔しており、
該上パンの周縁部に周壁部が設けられ、
該上パン及び下パンの少なくとも一方の周縁部によって前記防振材が隠蔽されている洗濯機用防水パンであって、
前記下パンの周縁部に立上壁が設けられており、
前記上パンの周壁部は、上方に立ち上がる起立片と、該起立片に連なり該起立片の側外方において垂下する垂下片とからなり、
該垂下片の下端部が前記下パンの立上壁の上端部の側外方に該立上壁から離隔して位置していることを特徴とする洗濯機用防水パン。
【発明の詳細な説明】
【０００１】
【発明の属する技術分野】
本発明は洗濯機を載せるための洗濯機用防水パンに係り、特に防振材を備えた洗濯機用防水パンに関する。
【０００２】
【従来の技術】
洗濯機の振動を床に伝えないようにするために洗濯機用防水パンと床との間にシート状の防振材を敷くことが実開昭６３−１８５８６７号公報に記載されている。
【０００３】
図４〜６は同号公報に記載の洗濯機用防水パンの態様を示すものであり、いずれも防水パン１の下側にシート状の防振材２が設けられている。
【０００４】
【発明が解決しようとする課題】
上記従来の洗濯機用防水パンのうち、図４、６に示すものにあっては防振材２が防水パン１の外周からはみ出し、丸見えになってしまい見栄えが悪い。
【０００５】
また、図５及び図４に示すものにあっては、床６にゴム（防振材）が直に当るため、ゴム成分のマイグレーションによりフローリング材が変色したり劣化するおそれがある。
【０００６】
さらに、図４〜６に示すものにあっては、防水パン１を床６に固定する場合、図６のようにビス８を打つことになるが、このビス８を介して防水パン１の振動が直に床６に伝播するという短所がある。
【０００７】
本発明は、このような種々の問題点をすべて解決し、見栄えが良く、防振性に優れ、フローリング材に変色や劣化を生じさせることがない洗濯機用防水パンを提供することを目的とする。
【０００８】
【課題を解決するための手段】
本発明の洗濯機用防水パンは、床面に設置される下パンと、該下パンの上に設けられた防振材と、該防振材の上に設けられた上パンとを備えてなり、該上パンと下パンとが別体であり且つ離隔しており、該上パンの周縁部に周壁部が設けられ、該上パン及び下パンの少なくとも一方の周縁部によって前記防振材が隠蔽されている洗濯機用防水パンであって、前記下パンの周縁部に立上壁が設けられており、前記上パンの周壁部は、上方に立ち上がる起立片と、該起立片に連なり該起立片の側外方において垂下する垂下片とからなり、該垂下片の下端部が前記下パンの立上壁の上端部の側外方に該立上壁から離隔して位置していることを特徴とするものである。
【０００９】
かかる洗濯機用防水パンにあっては、防振材が覆い隠されたものとなり、見栄えがきわめて良い。また、防振材が下パンの上に設けられており、該防振材が床に直に接することがないので、床がゴムによって変色したり劣化を受けたりすることがない。
【００１０】
本発明では、下パンの周縁部に立上壁が設けられており、前記上パンの周壁部は、上方に立ち上がる起立片と、該起立片に連なり該起立片の側外方において垂下する垂下片とからなり、該垂下片の下端部が前記下パンの立上壁の上端部の側外方に該立上壁から離隔して位置しているが、さらに、この立上壁の上端部と前記垂下片の下端部との間に緩衝材が設けられていることが好ましい。
【００１１】
本発明においては、下パンに防振材位置決め用凸部を設け、防振材の位置決めを行うようにしても良い。このようにした場合は、防振材は単に下パンの上面に敷くだけで良く、防振材を接着することが不要である。
【００１２】
【発明の実施の形態】
以下図面を参照して本発明の実施の形態について説明する。
【００１３】
図１は本発明の実施の形態に係る洗濯機用防水パンを示すものであり、（ａ）図は斜視図、（ｂ）図は（ａ）図のＢ―Ｂ線に沿う断面図である。
【００１４】
この洗濯機用防水パン１０は、床６上に設置される下パン１２と、この下パン１２上に設けられたシート状の防振材１４と、この防振材１４の上に設けられた上パン１６とを備えている。
【００１５】
この上パン１６の周縁部には、起立片１８と、該起立片１８の外側面に沿って垂下する垂下片２０とからなる周壁部２２が設けられている。
【００１６】
なお、この実施の形態にあっては、下パン１２の周縁部から上方に立ち上がる立上壁２４が設けられており、垂下片２０の下端面はこの立上壁２４の上端面と対面するようになっている。前記防振材１４は、この下パン１２のほぼ全体に広がる大きさの平板状のものとなっている。
【００１７】
下パン１２、防振材１４及び上パン１６には、それぞれ排水トラップ２６を挿通させるための開口２８が設けられている。この排水トラップ２６の上面からはホース接続口３０が突設されている。また、排水トラップ２６には排水管３２が接続されている。
【００１８】
この洗濯機用防水パン１０にあっては、防振材１４は下パン１２と上パン１６のいずれか一方に接着されていることが好ましい。
【００１９】
この洗濯機用防水パン１０は、下パン１２をビス３４によって床６に固定し、この下パン１２の上に防振材１４を介して上パン１６を設置することにより床６上に据え付けられる。この洗濯機用防水パン１０の上に洗濯機を載せ、排水ホースをホース接続口３０に接続することにより、洗濯機を使用することが可能となる。
【００２０】
このように構成された図１の洗濯機用防水パン１０にあっては、防振材１４が垂下片２０及び立上壁２４によって完全に覆い隠されたものとなり、見栄えがきわめて良い。また、防振材１４が床６に直に接することがなく、床６がゴムによって変色したり劣化を受けたりすることがない。更に、防水パン１０を固定するためのビス３４が上パン１６には全く接していないため、洗濯機から上パン１６に伝わる振動がビス３４を介して床６に直に伝播することもない。
【００２１】
図２は本発明の別の実施の形態に係る洗濯機用防水パン１０Ａの構成を示す断面図であり、前記図１（ｂ）と同一部分の断面を示している。
【００２２】
この実施の形態にあっては、上パン１６の垂下片２０が下パン１２の立上壁２４の側外方に位置するように立上壁２４の高さが図１のものに比べ高くなっており、また垂下片２０の位置が図１のものに比べ相対的に側外方となっている。
【００２３】
この実施の形態にあっては、立上壁２４と垂下片２０との間に、ゴム、スポンジ等の軟質材よりなる緩衝材３６が設けられている。
【００２４】
この洗濯機用防水パン１０Ａのその他の構成は図１と同一であり、同一部分に同一符号を付してその説明を省略する。この洗濯機用防水パン１０Ａにおいても、防振材１４が隠蔽され、見栄えが良く、また床６の変色や劣化もない。更に、上パン１６の振動がビス３４を介して床６に直に伝播することもない。
【００２５】
上記実施の形態にあっては、防振材１４を下パン１２と上パン１６の一方に接着するのが好ましいとされているが、本発明においては、図３に示すように、下パン１２に防振材位置決め用凸部４０を設け、防振材１４の位置決めを行うようにしても良い。このようにした場合には、防振材１４は単に下パン１２の上面に敷くだけで良く、防振材１４を接着することが不要である。
【００２６】
【発明の効果】
以上の通り、本発明の洗濯機用防水パンは、防振材が隠蔽されており、見栄えがきわめて良い。また、防振材が床に直に接することがなく、床の変色や劣化が防止される。更に、本発明によると、上パンの振動がビスを介して床に直に伝わることがなく、防振特性が著しく向上する。
【図面の簡単な説明】
【図１】実施の形態に係る洗濯機用防水パンを示すものであり、（ａ）図は斜視図、（ｂ）図は（ａ）図のＢ−Ｂ線に沿う断面図である。
【図２】別の実施の形態に係る洗濯機用防水パンの断面図である。
【図３】さらに別の実施の形態に係る洗濯機用防水パンの構成を示すものであり、（ａ）図は断面図、（ｂ）図は下パンの斜視図である。
【図４】従来例を示す斜視図である。
【図５】従来例を示す断面図である。
【図６】従来例を示す断面図である。
【符号の説明】
１０，１０Ａ,１０Ｂ  洗濯機用防水パン
１２  下パン
１４  防振材
１６  上パン
１８  起立片
２０  垂下片
２２  周壁部
２４  立上壁
２６  排水トラップ
２８  開口
３０  ホース接続口
３２  配水管
３４  ビス
３６  緩衝材
４０  位置決め用凸部
【図１】
0003713925.tif 000002
【図２】
0003713925.tif 000003
【図３】
0003713925.tif 000004
【図４】
0003713925.tif 000005
【図５】
0003713925.tif 000006
【図６】
0003713925.tif 000007